(57)【要約】【課題】鉄塔の平坦箇所に設置することにより、大型の鳥類でも営巣することができなくして、短絡事故の発生を未然に防止するとともに、作られてしまった巣の撤去作業を不要にすることのできる営巣防止装置を提供すること。【解決手段】鉄塔１００の頂部１０１などの平坦箇所に設置する営巣防止装置１０であって、頂部などの略水平の構造材１０１ａに平行な底辺１１ａおよび該底辺の両端から上方に向って傾斜する斜辺１１ｂを有する複数枚の板材料１１と、該板材料のそれぞれの底辺を鉄塔の略水平の構造材に設置する設置ボルト構造１３と、該板材料の斜辺同士を連結する蝶番１２と、を備えており、設置ボルト構造および蝶番により分解組立可能な構造に設計されている。【選択図】図１
2009022237.tif 000002
【特許請求の範囲】
【請求項１】
送電線等を架設する鉄塔の略平坦箇所に設置する営巣防止装置であって、
鉄塔の略水平の構造材に平行な底辺および該底辺の両端から上方に向って傾斜する斜辺を有する複数枚の板材料と、該板材料のそれぞれの底辺を鉄塔の略水平の構造材に設置する設置手段と、該板材料の斜辺同士を連結する連結手段と、を備えており、
設置手段および連結手段により分解組立可能な構造に設計されていることを特徴とする鉄塔平坦箇所の営巣防止装置。
【請求項２】
前記板材料の上面側は目立つ着色が施されているとともに、下面側は空の色彩に馴染む着色が施されていることを特徴とする請求項１に記載の鉄塔平坦箇所の営巣防止装置。
【発明の詳細な説明】
【技術分野】
【０００１】
本発明は、鉄塔平坦箇所の営巣防止装置に関し、詳しくは、鉄塔の頂部等に存在する平坦箇所に鳥類が営巣することを未然に防止することのできるものに関する。
【背景技術】
【０００２】
従来、鉄塔などの構造物に鳥などが巣を作ってしまうと、その巣に持ち込む鉄屑などによる短絡事故などが発生する虞があることから、風で揺れるように光を反射する部材を不安定な状態に設置したり、風で回転するプロペラを設置するなどして警戒心を喚起することにより、その場所に営巣する気にならないようにすることが多用されている。しかし、慣れてしまうと、警戒心が働くこともなくなって、巣が作られてしまう。
【０００３】
また、巣を造られてしまう場所に邪魔になるようなものを設置する装置も提案されており、例えば、鉄塔の構造材の上方に線材を突出するように設置する装置（例えば、特許文献１、２参照）や、その構造材に吊り下げる装置（例えば、特許文献３参照）や、その構造材間の空間内に設置する装置（例えば、特許文献４参照）など、各種装置が提案されている。
【特許文献１】実開平６−６６２４７号公報
【特許文献２】特開平８−９５４２号公報
【特許文献３】特開２０００−３４２１５７号公報
【特許文献４】特開２００１−２５８４６４号公報
【発明の開示】
【発明が解決しようとする課題】
【０００４】
しかしながら、このような従来の営巣防止装置にあっては、鉄塔の構造材の平坦な箇所が営巣に適していることから予め設置するにしても、例えば、鉄塔の頂部や腕金状に側方に突出する平坦箇所には、それよりも上方に構造材が存在しないことから、設置できるのは文献１に記載の装置だけである。この文献１に記載の装置は、鉄塔の構造材の上方に突出する線材であることから、大きな猛禽類では、その営巣防止装置を土台に利用してしまい、かえって営巣を補助してしまう場合がある。また、ミサゴのような保護鳥の場合には、保護団体との折衝が必要になって、その巣を撤去することが難しい。
【０００５】
そこで、本発明は、鉄塔の平坦箇所に設置することにより、大型の鳥類でも営巣することができなくして、短絡事故の発生を未然に防止するとともに、作られてしまった巣の撤去作業を不要にすることのできる営巣防止装置を提供することを目的とする。
【課題を解決するための手段】
【０００６】
上記課題を解決する鉄塔平坦箇所の営巣防止装置の第１の発明は、送電線等を架設する鉄塔の略平坦箇所に設置する営巣防止装置であって、鉄塔の略水平の構造材に平行な底辺および該底辺の両端から上方に向って傾斜する斜辺を有する複数枚の板材料と、該板材料のそれぞれの底辺を鉄塔の略水平の構造材に設置する設置手段と、該板材料の斜辺同士を連結する連結手段と、を備えており、設置手段および連結手段により分解組立可能な構造に設計されていることを特徴とするものである。
【０００７】
この発明では、複数の板材料が、鉄塔の構造材の水平箇所に底辺を設置されて斜辺同士が連結されることにより、その鉄塔の平坦箇所を傾斜面が囲むように組み立てられる。したがって、巣を作ろうとしても材料が滑って落下してしまい営巣不能にすることができる。また、この営巣防止装置は、板材料を分解組立するだけであることから、鉄塔の頂部などのような平坦箇所でも、容易に設置することができる。
【０００８】
ここで、この営巣防止装置は、鉄塔の構造材に設置するものであることから、板材料内に風抜き穴を複数形成したり、また、組み立てた状態の頂部に風抜き穴を形成するように設計したり、あるいは、板材料間を連結する手段を分割してその連結部材間から風が抜けるようにすることにより、強風などで損傷してしまうことを回避する構造に構築するのが好ましい。この板材料間の連結手段を分割すると、その連結部材間から手を差し込んで板材料の表裏側から容易に作業することができる、という効果も得ることができる。さらに、鉄塔の構造材を加工することなく、板材料を設置できるようにすることにより、鉄塔の強度を損なうことなく設置することができて好ましい。
【０００９】
上記課題を解決する鉄塔平坦箇所の営巣防止装置の第２の発明は、上記第１の発明の特定事項に加え、前記板材料の上面側は目立つ着色が施されているとともに、下面側は空の色彩に馴染む着色が施されていることを特徴とするものである。
【００１０】
この発明では、上方からは目立って視認し易くすることができる一方、下方から空の色に紛らわさせて目立つことを回避することができる。したがって、鉄塔の頂部に設置される場合には、ヘリコプターなどの航空機に注意を喚起することができる一方、下から見上げたときには、景観を著しく損なってしまうことを回避することができる。
【００１１】
ここで、目立つ着色としては、例えば、黄色などでもよく、黄色に着色する場合には、鳥類には視認し難くして、存在に気が付かずに止まって驚かすことができ、より積極的に営巣しないようにすることができる。
【発明の効果】
【００１２】
このように本発明によれば、鉄塔の平坦箇所を傾斜面が囲むように複数の板材料を構造材の水平箇所に組み立てて設置・連結することができるので、巣の材料を滑らせて落下させることができ、営巣自体を不可能にすることができる。したがって、大型の鳥類でも営巣不可能にすることができ、短絡事故の発生を未然に防止するとともに、作られてしまった巣の撤去作業を不要にすることができる。
【発明を実施するための最良の形態】
【００１３】
以下、本発明の最良の実施形態を図面に基づいて説明する。図１〜図７は本発明に係る鉄塔平坦箇所の営巣防止装置の一実施形態を示す図である。
【００１４】
図１において、営巣防止装置１０は、例えば、図２に示すように、送電線等を架設するために建てられている鉄塔１００の頂部１０１などに存在する略平坦な箇所に設置可能に設計されており、この営巣防止装置１０は、図３に示すように、複数枚の板材料１１と、複数個の蝶番（連結手段）１２と、複数本の設置ボルト構造（設置手段）１３と、に分解することができ、これら各部材を用いて板材料１１同士を蝶番１２により連結・組み立てして鉄塔１００の構造材に設置ボルト構造１３により組付・固定して設置することができる。ここで、この営巣防止装置１０は、鉄塔１００の頂部１０１以外でも、その頂部１０１の側方に延在する腕金部１０２の上部の平坦な箇所や、下層の腕金部１０３の上部の略平坦な箇所でも、頂部１０１と同様の構造材により構築されているので、同様に設置することができることはいうまでもない。
【００１５】
板材料１１は、図４に示すように、二等辺三角形に形成されており、鉄塔１００の頂部１０１の水平な構造材１０１ａと同等の長さに底辺１１ａが設定されているとともに、その頂角θは斜辺１１ｂ同士を蝶番１２により連結したときに底面が開口してある程度の斜面（平面）１１ｃを有する四角錐形状になるように、例えば、７０〜８０°程度に設定されている。これにより、営巣防止装置１０は、鉄塔１００の頂部１０１に設置したときに、その頂部１０１を板材料１１の斜面１１ｃで覆うことができる。なお、この板材料１１の頂角θは、より鋭角に設定してもよいことは言うまでもない。
【００１６】
また、この板材料１１は、二等辺三角形の頂角に切欠部１１ｄを形成することにより斜辺１１ｂ同士を蝶番１２により連結したときに、四角錘形状の頂部に風抜き穴１５を形成するとともに、自身の平面（斜面）１１ｃ内にも複数の風抜き穴１１ｅを開口させている。これにより、営巣防止装置１０は、鉄塔１００に設置したときに、強風により破損してしまうことを回避することができる。
【００１７】
蝶番１２は、図５に示すように、一対の板部材１２ａを回動軸１２ｂで相対回動自在に連設する構造に作製されており、この蝶番１２は板部材１２ａのそれぞれを板材料１１の斜辺１１ｂ側の複数箇所に汎用の皿ネジＢとナットＮで固設されることにより、その板部材１２ａが互いに略平行状態（挟角≒０°）に対面接近する状態から互いの挟角が２７０°程度まで相対回動することを許容する。これにより、営巣防止装置１０は、図６に示すように、鉄塔１００に設置する前から板材料１１の一辺の斜辺１１ｂ同士を除く他の斜辺１１ｂ同士を蝶番１２により連結して折り畳んだ状態にして搬入することができ、また、鉄塔１００から撤去する際にも完全に分解することなく、一辺の斜辺１１ｂ同士の連結を解除するだけで、その板材料１１を折り畳んだ状態にして搬出することができる。このとき、蝶番１２は、板材料１１を折り畳むには、対角に位置する斜辺１１ｂの表面側同士を連結するとともに、他の対角に位置する斜辺１１ｂの裏面側同士を連結することにより、一辺の斜辺１１ｂ同士の連結を解除するだけで、その板材料１１を交互に折り返す方向に回動させることを許容して折り畳むことができる。
【００１８】
また、この蝶番１２は、板部材１２ａの端辺側に板材料１１の斜辺１１ｂ側を固設する皿ネジＢの差込穴１２ｃが開口しており、板材料１１同士を拡開させて鉄塔１００に設置する状態にしたときに、その斜辺１１ｂ間に隙間Ｓが開くように設定されている。これにより、営巣防止装置１０は、その板材料１１の斜辺１１ｂ間を複数部品に分割されている蝶番１２により連結されて、その蝶番１２間の隙間Ｓも風抜きとして機能させることができるとともに、その隙間Ｓから手を差し込んで蝶番１２の皿ネジＢとナットＮの螺合作業を下側から容易に行うこともできる。
【００１９】
設置ボルト構造１３は、図７に示すように、への字形に屈折されたボルト１３ａの一端部に鉄塔１００の頂部１０１の構造材１０１ａを挟持・固定する一対の補助部材１７がナットＮとワッシャＷの間に挟圧されているとともに、同様に、そのボルト１３ａの他端部にも板材料１１を固定する一対の補助部材１８がナットＮとワッシャＷの間に挟圧されており、この設置ボルト構造１３が板材料１１の底辺１１ａを鉄塔１００の構造材１０１ａに設置固定する。
【００２０】
補助部材１７は、それぞれが直方体に形成されて一端側のボルト１３ａの貫通する貫通穴１７ａが長手側の側面に開口されているとともに、そのボルト１３ａの一端側に螺合するナットＮで互いの対向面１７ｂを圧接させる状態に締め付けることができるように作製されており、その対向面１７ｂの貫通穴１７ａの側方には、直角二等辺三角形の切欠部１７ｃが形成されている。これにより、この補助部材１７は、断面Ｌ字形状に形成されている鉄塔１００の構造材１０１ａに固定用のネジ穴等を穿孔することなく、言い換えると、鉄塔１００の構造材１０１ａの強度を損なうことなく、その切欠部１７ｃの直角二等辺三角形の斜面に鉄塔１００の構造材１０１ａの断面Ｌ字形状の両端辺を圧接させた状態にして挟持・固定することができる。
【００２１】
補助部材１８は、他端側のボルト１３ａの貫通する貫通穴１８ａが軸心に開口する円柱形状を一端側のボルト１３ａと平行な傾斜面１８ｂを有するように分割した形状に作製されており、そのボルト１３ａの他端側に螺合するナットＮで互いに対向する傾斜面１８ｂを圧接させる状態に締め付けることができるように形成されている。これにより、この補助部材１８は、板材料１１に開口する固定用穴１１ｆにボルト１３ａの他端側を挿通させてその板材料１１を傾斜面１８ｂ間で挟持・固定することができ、その板材料１１の斜面１１ｃとそのボルト１３ａの一端側を平行にして鉄塔１００の構造材１０１ａに挟持・固定を実現する。
【００２２】
したがって、営巣防止装置１０は、鉄塔１００の頂部１０１を斜面１１ｃで囲むように板材料１１を容易に組み立てて設置することができ、例えば、ミサゴなどが巣を作ろうと材料を運んできたとしても滑って落下させることができる。
【００２３】
さらに、板材料１１は、上面側が目立つ色彩、例えば、黄色に着色されているとともに、下面側は空に馴染む色彩に、例えば、薄曇り色（薄い水色と薄い灰色の混色）に着色されている。これにより、この営巣防止装置１０は、上空側からは目立たせて、例えば、ヘリコプターなどのパイロットに容易に視認させて注意を喚起させることができる一方、地上側からは空の色に紛らわさせて景観を著しく損なってしまうことを回避することができる。また、黄色は鳥類が視認し難くいことから気が付かずに止まろうとしたときに驚かすことができ、近づかないようにしてより積極的に営巣しないようにすることができる。
【００２４】
このように本実施形態においては、鉄塔１００の頂部１０１などの略平坦な箇所に大型・小型に関係なく鳥が巣を作ることをできなくすることができ、その巣の材料などにより短絡事故が発生してしまうことを未然に防止するとともに、作られてしまった巣の撤去作業を不要にすることができる。
【００２５】
ここで、本実施形態では、鉄塔１００の構造材１０１ａを加工する必要のない設置ボルト構造１３を用いる場合を一例に説明するが、これに限るものではないことは言うまでもなく、例えば、図８に示すように、鉄塔１００の構造材１０１ａにボルト１３ａの他端部を差し込むネジ穴を穿孔するとともに、板材料１１側にはボルト１３ａの一端部を固定する断面Ｌ字形状のアングル材料１９をボルトＢとナットＮにより固設してもよい。
【産業上の利用可能性】
【００２６】
これまで本発明の一実施形態について説明したが、本発明は上述の実施形態に限定されず、その技術的思想の範囲内において種々異なる形態にて実施されてよいことは言うまでもない。
【図面の簡単な説明】
【００２７】
【図１】本発明に係る鉄塔平坦箇所の営巣防止装置の一実施形態の概略全体構成を示す図であり、（ａ）はその立面図、（ｂ）はその平面図である。
【図２】その営巣防止装置を設置する鉄塔の構造の一例を示す立面図である。
【図３】その営巣防止装置の組み立て部品を示す分解平面図である。
【図４】その一部品である板材料を示す平面図である。
【図５】その一部品である蝶番を板部材に固設して折り畳んだ状態を示す概念構造図である。
【図６】その板材料の折り畳み状態を説明する概念図である。
【図７】その一部品である設置ボルト構造を示す側面図である。
【図８】その他の実施形態の設置ボルト構造を示す側面図である。
【符号の説明】
【００２８】
１０……営巣防止装置    １１……板材料    １１ａ……底辺    １１ｂ……斜辺    １１ｃ……斜面    １１ｄ……切欠部    １１ｅ、１５……風抜き穴    １１ｆ……固定用穴    １２……蝶番    １２ａ……板部材    １２ｂ……回動軸    １２ｃ……差込穴    １３……設置ボルト構造    １３ａ……ボルト    １７、１８……補助部材    １７ａ、１８ａ……貫通穴    １７ｂ……対向面    １７ｃ……切欠部    １８ｂ……傾斜面    １９……アングル材料    １００……鉄塔    １０１……頂部    １０１ａ……構造材      １０２、１０３……腕金部    Ｓ……隙間
【図１】
2009022237.tif 000003
【図２】
2009022237.tif 000004
【図３】
2009022237.tif 000005
【図４】
2009022237.tif 000006
【図５】
2009022237.tif 000007
【図６】
2009022237.tif 000008
【図７】
2009022237.tif 000009
【図８】
2009022237.tif 000010